(57)【要約】【課題】  １対の角駒がそれぞれ運動する軸に支持されていても各送り歯の傾斜状態を容易に調整できるようにしたミシンの送り歯傾斜調整装置を提供すること。【解決手段】  下軸１の偏心部１Ａに回動自在に嵌合された第１角駒２４と、上下揺動軸１１の偏心部１１Ａに回動自在に嵌合された第２角駒２５と、両角駒２４，２５に支持され主送り歯２８を備えた主揺動桿２６および差動送り歯２９を備えた差動揺動桿２７と、上下揺動軸１１に固定され下軸１の偏心カム２に連結された上下レバー１４と、上下揺動軸１１に固定され、ねじ保持部を有する調整ブロックと、上下レバー１４のねじ支持部１４Ｂに螺挿され調整ブロック１９のねじ保持部１９Ｂに固定された調整ねじ２２とを有し、上下レバー１４の固定用のねじ１３を緩めて調整ねじ２２を進退させ、上下揺動軸１１を回動させることにより第２角駒２５の高さを変化させて両送り歯２８，２９の傾斜状態を変化させるようにしたもの。【選択図】      図１
2009056086.tif 000002
【特許請求の範囲】
【請求項１】
同一方向に回転駆動される下軸と、
前記下軸に形成された偏心部に回動自在に嵌合されている第１角駒と、
前記下軸に固定されている偏心カムと、
前記偏心カムが嵌合され、この偏心カムの回転により往復揺動される上下送りロッドと、
前記下軸と平行な軸線を有するように配置されている上下揺動軸と、
前記上下揺動軸に形成された偏心部に回動自在に嵌合されている第２角駒と、
前記両角駒にそれぞれ支持されている主揺動桿および差動揺動桿と、
前記主揺動桿に固定されている主送り歯と、
前記差動揺動桿に固定されている差動送り歯と、
前記上下揺動軸にねじにより固定されており、前記偏心カムに連結されている上下レバーと、
前記上下揺動軸に固定され、ねじ保持部を有する調整ブロックと、
前記上下レバーに形成されたねじ支持部に螺挿されるとともに、前記調整ブロックのねじ保持部に固定された調整ねじと
を有し、
前記上下レバー固定用のねじを緩めて前記調整ねじを進退させ、前記上下揺動軸を回動させることにより前記第２角駒の高さを変化させて前記両送り歯の傾斜状態を変化させるようにしたことを特徴とするミシンの送り歯傾斜調整装置。
【請求項２】
全体がミシンベッド内に配設されており、前記上下レバー固定用のねじに対向する部位と、前記調整ねじに対向する部位の前記ベッドには、それぞれねじを外部から進退させる操作孔が形成されていることを特徴とする請求項１に記載のミシンの送り歯傾斜調整装置。
【発明の詳細な説明】
【技術分野】
【０００１】
本発明は、ミシンの送り歯傾斜調整装置に係り、特に、送り歯の傾斜状態を容易に調整することができるミシンの送り歯傾斜調整装置に関する。
【背景技術】
【０００２】
被縫製物を縫製のために送る主送り歯および差動送り歯を備えたミシンは従来から知られている（例えば、特許文献１参照）。
【０００３】
このようなミシンにおいて、前述した主送り歯および差動送り歯は、下軸の回転によりそれぞれ楕円運動をして被縫製物を部分的に載置して送るようになっている。
【０００４】
【特許文献１】特開２００３−２２０２８８号公報
【発明の開示】
【発明が解決しようとする課題】
【０００５】
ところで、前述した特許文献１に記載のミシンにおいて、主送り歯を支持する主揺動桿ならびに差動送り歯を支持する差動揺動桿がそれぞれ１対の角駒に支持されているが、これらの１対の角駒のうち一方は固定的に配置されている固定軸に支持されていた。
【０００６】
このような一方の角駒が固定軸に支持されているものと異なり、両角駒がそれぞれ運動する軸に支持されているミシンにおいては、軸に運動を伝達する機構がミシンの内部に配置されているため、各送り歯の傾斜状態を調整するには、ミシンのカバーやパッキンを外したうえで調整しなければならず、送り歯の微妙な傾斜状態を調整することは困難であった。
【０００７】
特に、糸切り装置付のミシンの場合、糸切り装置まで分解しなければならなかった。
【０００８】
そこで、本発明は、１対の角駒がそれぞれ運動する軸に支持されていても各送り歯の傾斜状態を容易に調整できるようにしたミシンの送り歯傾斜調整装置を提供することを目的とするものである。
【課題を解決するための手段】
【０００９】
前述した目的を達成するため、本発明の請求項１に記載のミシンの送り歯傾斜調整装置の特徴は、同一方向に回転駆動される下軸と、前記下軸に形成された偏心部に回動自在に嵌合されている第１角駒と、前記下軸に固定されている偏心カムと、前記偏心カムが嵌合され、この偏心カムの回転により往復揺動される上下送りロッドと、前記下軸と平行な軸線を有するように配置されている上下揺動軸と、前記上下揺動軸に形成された偏心部に回動自在に嵌合されている第２角駒と、前記両角駒にそれぞれ支持されている主揺動桿および差動揺動桿と、前記主揺動桿に固定されている主送り歯と、前記差動揺動桿に固定されている差動送り歯と、前記上下揺動軸にねじにより固定されており、前記偏心カムに連結されている上下レバーと、前記上下揺動軸に固定され、ねじ保持部を有する調整ブロックと、前記上下レバーに形成されたねじ支持部に螺挿されるとともに、前記調整ブロックのねじ保持部に固定された調整ねじとを有し、前記上下レバー固定用のねじを緩めて前記調整ねじを進退させ、前記上下揺動軸を回動させることにより前記第２角駒の高さを変化させて前記両送り歯の傾斜状態を変化させるようにした点にある。
【００１０】
また、請求項２に記載のミシンの送り歯傾斜調整装置の特徴は、全体がミシンベッド内に配設されており、前記上下レバー固定用のねじに対向する部位と、前記調整ねじに対向する部位の前記ベッドには、それぞれねじを外部から進退させる操作孔が形成されている点にある。
【発明の効果】
【００１１】
前述した本発明によれば、上下レバー固定用のねじを緩めて調整ねじを進退させ上下揺動軸を回動させることにより第２角駒の高さを変化させて両送り歯の傾斜状態を変化させるようにしたので、簡単に送り歯の傾斜状態を変化させて、送り歯の傾斜状態を容易に調整することができる。
【００１２】
また、全体がミシンベッド内に配設されており、上下レバー固定用のねじに対向する部位と、調整ねじに対向する部位のベッドには、それぞれねじを外部から進退させる操作孔が形成されているようにすれば、各操作孔からドライバを祖にして送り歯の傾斜状態を容易に調整することができる。
【発明を実施するための最良の形態】
【００１３】
図１において、図示しないミシンの主軸に連動して回転される下軸１が設けられており、この下軸１の先端部には、下軸１の軸線に対し偏心した軸線を有する偏心カム２が固定されている。また、この偏心カム２の外周には、クランクロッド状に形成されている主送りロッド３の円環状の基部３Ａが回動自在に嵌合されている。
【００１４】
前記下軸１の近傍には、この下軸１の軸線と平行な軸線を有する主送り軸４が配設されており、この主送り軸４には、図２に詳示するように、この主送り軸４の放射方向に延在する主送りレバー５が嵌着されている。また、前記主送りロッド３の先端部および前記主送りレバー５の先端部間には、主送りリンク６が枢着されている。
【００１５】
したがって、前記下軸１が回転すると、この下軸１の回転により前記偏心カム２が下軸１の軸線を中心として公転し、この偏心カム２の公転により前記主送りロッド３が往復動することになる。この主送りロッド３の往復動によりこの主送りロッド３に枢着されている前記主送りリンク６が主送りロッド３と異なる方向に往復動することになる。すると、この主送りリンク６が枢着されている前記主送りレバー５が所定角度往復回動し、この主送りレバー５の往復回動により主送り軸４が所定角度往復回動することになる。
【００１６】
図１に戻って、前記主送り軸４の側方には、この主送り軸４の軸線と平行な軸線を有する差動送り軸７が配設されている。一方、前記主送り軸４には、図３に示すように、この主送り軸４と一体に回動する差動送り駆動レバー８が突設されており、この差動送り駆動レバー８と前記差動送り軸７との間には、差動送りリンク９および差動送り調整腕１０が介装されている。よって、前記主送り軸４の往復回動が、差動送り駆動レバー８、差動送りリンク９および差動送り調整腕１０を介して差動送り軸７に伝達され、この差動送り軸７も往復回動することになる。
【００１７】
図１に戻って、前記差動送り軸７の上方には、この差動送り軸７の軸線と平行な軸線を有する上下揺動軸１１が配設されている。一方、前記下軸１の前記主送りロッド３の隣接部位の前記偏心カム２の外周には、クランクロッド状に形成されている上下送りロッド１２の円環状の基部１２Ａが回動自在に嵌合されている。
【００１８】
前記上下揺動軸１１には、図４および図５に詳示するように、ねじ１３により上下レバー１４が固定されている。この上下レバー１４は、前記ねじ１３により前記上下揺動軸１１に固定されている基部１４Ａから上方に延在するねじ支持板部１４Ｂを有しており、このねじ支持板部１４Ｂには、ねじ支持板部１４Ｂを貫通する雌ねじ部１４Ｃが穿設されている。
【００１９】
前記ねじ支持板部１４Ｂの側方には、基部１４Ａおよびねじ支持板部１４Ｂと一体の環状部１４Ｄが形成されており、この環状部１４Ｄは、前記上下揺動軸１１の外周に嵌合されている。この環状部１４Ｄには、この環状部１４Ｄから上下揺動軸１１の放射方向外方に延在するクランク部１４Ｆを有し、前記環状部１４Ｄと同様、前記上下揺動軸１１の外周に嵌合されているクランク環状部１４Ｅが一体に形成されている。
【００２０】
そして、前記上下送りロッド１２の先端部と前記クランク部１４Ｆの先端部とが図示しないピンにより枢着されており、前記下軸１の回転による前記上下送りロッド１２の長手方向への往復動により前記上下揺動軸１１が往復回動することになる。
【００２１】
一方、前記上下レバー１４の基部１４Ａの隣接部位となる前記上下揺動軸１１には、調整ブロック１９の環状部１９Ａが嵌合されており、この環状部１９Ａは、ねじ２０により前記上下揺動軸１１に固定されている。また、前記調整ブロック１９の環状部１９Ａには、前記上下レバー１４のねじ支持板部１４Ｂに間隔を持って対向するねじ保持部１９Ｂが突設されており、このねじ保持部１９Ｂには、前記ねじ支持板部１４Ｂの雌ねじ部１４Ｃと同軸的な貫通孔１９Ｃが穿設されている。
【００２２】
そして、前記ねじ支持板部１４Ｂの雌ねじ部１４Ｃに調整ねじ２２のねじ部２２Ａが螺挿されており、この調整ねじ２２の頭部２２Ｂは、前記ねじ支持板部１４Ｂの外面に位置している。そして、前記調整ねじ２２のねじ部２２Ａの先端部は前記ねじ保持部１９Ｂの貫通孔１９Ｃを貫通し、Ｅリング２３，２３が前記貫通孔１９Ｃの両側において前記調整ねじ２２のねじ部２２Ａに嵌合されている。したがって、このねじ部２２Ａは、前記ねじ保持部１９Ｂの貫通孔１９Ｃ内において軸線方向への移動を両Ｅリング２３，２３により拘束されている。
【００２３】
図１および図６に示すように、前記下軸１の軸線方向における前記偏心カム２と反対側の端部には、下軸１の軸線に対し偏心した軸線を有する偏心部１Ａが固定されている。この偏心部１Ａには、平面視正方形状とされた直方体形状の第１角駒２４が回動自在に支持されている。
【００２４】
前記下軸１の偏心部１Ａの近傍位置となる前記上下揺動軸１１の端部には、上下揺動軸１１の軸線に対し偏心した軸線を有する偏心部１１Ａが固定されている。この偏心部１１Ａには、平面視正方形状とされた直方体形状の第２角駒２５が前記下軸１および前記上下揺動軸１１の軸線方向において前記第１角駒２４と等しい位置に回動自在に支持されている。
【００２５】
前記両角駒２４，２５には、相互に隣接した位置にある主揺動桿２６および差動揺動桿２７のそれぞれの左右１対の矩形の凹部２６Ａ，２６Ｂ：２７Ａ，２７Ｂが嵌合して保持されている。
【００２６】
前記主揺動桿２６には、ねじ３０により主送り歯２８が取付けられており、また、前記差動揺動桿２７には、ねじ３１により差動送り歯２９が取付けられている。
【００２７】
前記主送り軸４の前記主揺動桿２６側の端部には、上向きのクランク部３２が取付けられており、このクランク部３２の上端部と前記主揺動桿２６との間には、主送り駆動リンク３３が介装されている。
【００２８】
一方、前記差動送り軸７の前記差動揺動桿２７側の端部には、上向きのクランク部３４が取付けられており、このクランク部３４の上端部と前記差動揺動桿２７との間には、差動送り駆動リンク３５が介装されている。
【００２９】
したがって、前記下軸１が回転することにより、主送り軸４，クランク部３２および主送り駆動リンク３３を介して主揺動桿２６および主送り歯２８に下軸１の軸線方向に直交する方向の往復動が付与され、また、差動送り軸７，クランク部３４および差動送り駆動リンク３５を介して差動揺動桿２７および差動送り歯２９に下軸１の軸線方向に直交する方向の往復動が付与されることになる。
【００３０】
前述したミシンの送り歯傾斜調整装置は、図８に示すように、ミシンのベッド４０内に配置されている。このため、前記ベッド４０には、ミシンの送り歯傾斜調整装置を収納するための凹部４１が形成されている。
【００３１】
そして、前記上下レバー１４を固定するためのねじ１３を外部から操作可能とするため、このねじ１３に対向する前記ベッド４０には、内外を連通する操作孔４２が形成されている。また、前記調整ブロック１９のねじ支持板部１４Ｂの雌ねじ部１４Ｃに螺挿されている調整ねじ２２を外部から操作可能とするため、この調整ねじ２２に対向する前記ベッド４０には、内外を連通する操作孔４３が形成されている。
【００３２】
つぎに、前述した構成からなる本実施形態の作用について説明する。
【００３３】
本実施形態において下軸１を回転することによる主送り歯２８および差動送り歯２９の動作については、従来におけるミシンの送り歯傾斜調整装置と同様なので、説明を省略する。
【００３４】
ところで、本実施形態においては、ミシンのベッド４０に、上下レバー１４を固定するためのねじ１３を外部から操作可能とするための操作孔４２と、調整ブロック１９のねじ支持板部１４Ｂの雌ねじ部１４Ｃに螺挿されている調整ねじ２２を外部から操作可能とするための操作孔４３とが形成されている。
【００３５】
したがって、ミシンを駆動させて縫製された被縫製物の縫製状態を確認し、両送り歯２８，２９の傾斜状態を変更すべきであると判断した場合には、ミシンの停止状態において、操作孔４２からドライバ（図示せず）を挿入してねじ１３を緩め、上下レバー１４の固定状態を解除する。この状態において、調整ねじ２２を回転させて調整ねじ２２を前進あるいは後退させることにより上下揺動軸１１を回動させる。すると、この上下揺動軸１１の偏心部１１Ａに支持されている第２角駒２５の向きが変化してこの角駒２５の高さが変化することになる。よって、各送り歯２８，２９の傾きが変化することになる。そこで、この状態において、操作孔４２からドライバ（図示せず）を挿入してねじ１３を締め、上下レバー１４を固定状態にすればよい。
【００３６】
そして、調整した傾斜状態の両送り歯２８，２９により被縫製物の縫製を行うことができる。
【００３７】
なお、本発明は、前述した実施の形態に限定されるものではなく、必要に応じて種々の変更が可能である。
【図面の簡単な説明】
【００３８】
【図１】本発明に係るミシンの送り歯傾斜調整装置の実施形態を示す斜め上方から見た斜視図
【図２】図１の斜め右前方から見た斜視図
【図３】図１の斜め左前方から見た斜視図
【図４】図１の要部を拡大した斜視図
【図５】図４の背部からの斜視図
【図６】図３の一部を省略した斜視図
【図７】図３の角度を変えた斜視図
【図８】図１のミシンの送り歯傾斜調整装置をミシンベッドに収納した状態を示す斜視図
【符号の説明】
【００３９】
１  下軸
１Ａ  下軸１の偏心部
２  偏心カム
３  主送りロッド
４  主送り軸
５  主送りレバー
６  主送りリンク
７  差動送り軸
８  差動送り駆動レバー
９  差動送りリンク
１０  差動送り調整腕
１１  上下揺動軸
１１Ａ  上下揺動軸１１の偏心部
１２  上下送りロッド
１３  ねじ
１４  上下レバー
１４Ａ  上下レバー１４の基部
１４Ｂ  上下レバー１４のねじ支持板部
１４Ｃ  上下レバー１４の雌ねじ部
１４Ｄ  上下レバー１４の環状部
１４Ｅ  上下レバー１４のクランク環状部
１４Ｆ  上下レバー１４のクランク部
１９  調整ブロック
１９Ａ  調整ブロック１９の環状部
１９Ｂ  調整ブロック１９のねじ保持部
１９Ｃ  調整ブロック１９の貫通孔
２０  ねじ
２２  調整ねじ
２２Ａ  調整ねじ２２のねじ部
２２Ｂ  調整ねじ２２の頭部
２３  Ｅリング
２４  第１角駒
２５  第２角駒
２６  主揺動桿
２７  差動揺動桿
２８  主送り歯
２９  差動送り歯
３０，３１  ねじ
３２，３４  クランク部
３３  主送り駆動リンク
３５  差動送り駆動リンク
４０  ベッド
４１  ベッド４０の凹部
４２  操作孔（ねじ１３用）
４３  操作孔（調整ねじ２２用）
【図１】
2009056086.tif 000003
【図２】
2009056086.tif 000004
【図３】
2009056086.tif 000005
【図４】
2009056086.tif 000006
【図５】
2009056086.tif 000007
【図６】
2009056086.tif 000008
【図７】
2009056086.tif 000009
【図８】
2009056086.tif 000010